【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
一つまたはそれ以上のケーブル、ホースなどのラインを、ベース（２６）と該ベースに対して移動可能な牽引部材（２４）との間で案内する、多数の相互に結合されたリンク部材（２０）またはセグメントであって、互いに角度をなして方向変化湾曲部（２８）を形成することができるリンク部材またはセグメントと、
前記エネルギーガイドチェーンをモニタするための検知器と、を備えた、故障に対する保護のためのエネルギーガイドチェーン（１２）であって、
前記検知器（１６）は、前記エネルギーガイドチェーン中の故障を検知するために低ストレッチのトリガコード（３０）に動作的に結合され、かつ、動的なパラメータを検知するためのセンサ（３６）を備え、
前記トリガコード（３０）は、前記センサ（３６）と機械的に協働し、かつ、前記エネルギーガイドチェーンによって案内されることを特徴とするエネルギーガイドチェーン。
【請求項２】
前記検知器（１６）が、移動距離、速度および／または加速度を検知するためのセンサ(３６)を有し、
前記トリガコード（３０）が、前記センサ（３６）とともにプルケーブルラインと協働する請求項１記載のエネルギーガイドチェーン。
【請求項３】
前記トリガコード(３０)がそれによって長手方向に自由に移動可能に案内される鳩目（３２）が、前記エネルギーガイドチェーン（１２）に対しまたはその内部に設けられ、
前記トリガコードの相対運動が、前記エネルギーガイドチェーンのライン破壊の際に前記検知器によって検知されることを特徴とする請求項２記載のエネルギーガイドチェーン。
【請求項４】
前記トリガコードがプリストレスされた状態で固定されていることを特徴とする請求項３記載のエネルギーガイドチェーン。
【請求項５】
前記鳩目（３２）が、前記方向変化湾曲部の１８０°円弧湾曲部にわたって延設される前記エネルギーガイドチェーンの長さの３３％以下である規則的な間隔で設けられていることを特徴とする請求項３または４に記載のエネルギーガイドチェーン。
【請求項６】
前記鳩目（３２）が各リンク部材（２０）または各セグメント毎に設けられていることを特徴とする請求項３ないし５のいずれか一項記載のエネルギーガイドチェーン。
【請求項７】
前記鳩目が長手方向においてスライドガイドの形態で延設され、かつ、横方向のあそびを有し、両側が長手方向において湾曲されたもしくは丸くなった形態で開口する開口部（３３）を有することを特徴とする請求項３ないし５のいずれか一項記載のエネルギーガイドチェーン。
【請求項８】
前記鳩目（３２）が、構成部分として別々の分離肢部（２９）に一体化されるか、または、前記分離肢部または側板（２１）に固定するための別の射出成型付属部材の形態をなす請求項３ないし７のいずれか一項記載のエネルギーガイドチェーン。
【請求項９】
前記鳩目がエネルギーガイドチェーンの側板（２１）に一体化されている請求項３ないし７のいずれか一項記載のエネルギーガイドチェーン。
【請求項１０】
前記エネルギーガイドチェーン（１２）に引張り歪解放手段が設けられていることを特徴とする請求項１ないし９のいずれか一項に記載されたエネルギーガイドチェーン。
【請求項１１】
前記トリガコード（３０）が、ロープもしくはケーブルの形態で、または個々のファイバの形態で製造されていることを特徴とする請求項１ないし１０のいずれか一項記載のエネルギーガイドチェーン。
【請求項１２】
前記トリガコードが、エネルギーガイドチェーンによってその中立線（ｎｅｕｔｒａｌｅｎ  Ｆａｓｅｒ）の高さにおいて案内され、
前記トリガコードの相対運動が、前記エネルギーガイドチェーンのライン破壊の際に前記検知器によって検知されることを特徴とする請求項１ないし１０のいずれか一項記載のエネルギーガイドチェーン。
【請求項１３】
前記トリガコードが、前記エネルギーガイドチェーンによって規則的な間隔で、少なくとも前記方向変化湾曲部（２８）の移動領域に対応する長さにわたって案内されることを特徴とする請求項１２記載のエネルギーガイドチェーン。
【請求項１４】
各リンク部材が、隣接する側板または側部に対してヒンジ結合される二つの外側板（２１）または部分を夫々有し、
第一のトリガコード（３０）が一方の外側に沿って設けられ、第二のトリガコード（３０）が対向する外側に沿って設けられ、
各側において対応するセンサ（３６）が夫々の前記トリガコード（３０）に対して別々に結合されていることを特徴とする請求項１ないし１３のいずれか一項に記載のエネルギーガイドチェーン。
【請求項１５】
前記トリガコードの全長が、前記エネルギーガイドチェーンの長さにほぼ等しく、エネルギーガイドチェーンの長さの１．５倍より短い請求項１ないし１４のいずれか一項記載のエネルギーガイドチェーン。
【請求項１６】
エネルギーガイドチェーンに設けられた検知器に結合された評価ユニット（１４）を備えた、故障からエネルギーガイドチェーンを保護するためのモニタシステム(１０)であって、
前記エネルギーガイドチェーンが、請求項１ないし１５のいずれか一項に記載のエネルギーガイドチェーンであることを特徴とし、
前記トリガコード（３０）に結合された前記検知器(１６)が、前記評価ユニットに結合され、前記評価ユニット（１４）が前記エネルギーガイドチェーンに生じ得る故障について前記検知器によって検知された信号を評価することを特徴とする前記モニタシステム。
【請求項１７】
前記エネルギーガイドチェーン中の故障が前記トリガコードを介して検出されると、前記評価ユニット（１４）が前記牽引部材の緊急停止を生じさせることを特徴とする請求項１６記載のモニタシステム。
【請求項１８】
前記検知器（１６）によって生じた信号（Ｓ）が許容領域外にあると、前記評価装置（１４）が故障を検知する請求項１６または１７記載のモニタシステム。
【請求項１９】
前記トリガコードが、エネルギーガイドチェーンによってその中立線（ｎｅｕｔｒａｌｅｎ  Ｆａｓｅｒ）の高さにおいて案内され、
前記トリガコードの相対運動が、前記エネルギーガイドチェーンのライン破壊の際に前記検知器によって検知されることを特徴とする請求項１６ないし１８のいずれか一項に記載のモニタシステム。
【請求項２０】
エネルギーガイドチェーン（１２）中の故障を検知するための検知器（１６）および低ストレッチのトリガコード（３０）の使用であって、
前記トリガコード（３０）が前記検知器（１６）に対して機械動作的に結合され、
前記検知器が、前記エネルギーガイドチェーン中の故障を前記トリガコード（３９）の動的パラメータの変化に基づいて検知することを特徴とする使用。
【請求項２１】
一つまたはそれ以上のケーブル、ホース等のラインを、ベース（２６）と該ベースに対して移動可能な牽引部材（２４）との間で案内する、複数の互いに結合されたリンク部材（２０）またはセグメントであって、互いに角度をなして方向変化湾曲部（２８）を形成することができるリンク部材またはセグメントと、
エネルギーガイドチェーンをモニタする検知器と、を備えた、故障に対する保護のためのエネルギーガイドチェーン（１２）であって、
前記検知器（１６）は、エネルギーガイドチェーン中の故障を検知するために低ストレッチのトリガコード（３０）に動作的に結合し、
前記トリガコードは、前記エネルギーガイドチェーンによって案内されることを特徴とするエネルギーガイドチェーン。
【請求項２２】
前記開口部（３３）の湾曲の程度が、前記リンク部材（２０）または前記セグメントの最大に角度付けられた位置に適合されていることを特徴とする請求項７記載のエネルギーガイドチェーン。
【請求項２３】
前記トリガコード（３０）が、鋼線またはテクニカルプラスチックで製造されていることを特徴とする請求項１１記載のエネルギーガイドチェーン。
【請求項２４】
前記トリガコード（３０）が、使用負荷の下で３％以下の伸びを有するように選択されていることを特徴とする請求項１１記載のエネルギーガイドチェーン。
【手続補正２】
【補正対象書類名】明細書
【補正対象項目名】００５０
【補正方法】変更
【補正の内容】
【００５０】
破壊１３が生じた場合、移動してはなれるＥＧＣ１２の破壊端部により破壊場所の二つの鳩目３２の間により大きな間隔が生じる。これが所定の態様で案内されるトリガコード３０の所定の基準位置またはその正常形態からのずれを生じさせる。これによってトリガコード３０のプリストレス状態で固定されたコア端部における位置、速度、または加速度の動的変化の検知が可能となる。検知はトリガコード３０と協働するセンサ３６たとえば直線移動センサによって図１Ａないし図５に示す検知器１６において行われる。このようにしてトリガコード３０はプルケーブルとして作用し、力を対応するセンサ３６に伝達する。トリガコード３０がひきちぎられたかどうかを検知できることも明らかだが、これは必ずしも必要ではない。
【手続補正３】
【補正対象書類名】明細書
【補正対象項目名】００５５
【補正方法】変更
【補正の内容】
【００５５】
センサ３６によって動的パラメータ、ここでは移動距離（またはたとえば速度および／または加速度）を実際に測定する代わりにトリガコードの動的パラメータの閾値からの逸脱のみを検知してたとえば出力レベルの変化の形として検出し、評価ユニット１４に通過させることができる。これはたとえばスイッチロッカまたはトリップスイッチ（図示せず）をセンサとし、これと共にトリガコードをたとえばトリップワイヤの形で協働させることによって行うことができる。